(57)【要約】【課題】インバータの発振周期を変えずに放電灯の放電電流の立下りを急峻、かつ立ち上がりを緩慢にし、電極から放出される電子ができるだけ不活性状態とならないように配慮するとともに、再点弧時の電極損失を軽減し、放電灯の長寿命化を図る。【解決手段】交互にオンオフする順直列一対のスイッチング素子２１・２２を備える。前記各スイッチング素子２１・２２と逆並列に接続するフライホイールダイオード４１：４２を備える。以上の各素子とともにハーフブリッジ形のインバータ回路を構成する少なくとも２個のコンデンサ３０・３１に３２を備える。前記インバータ回路の高周波電圧を受ける点灯回路５０を備える。前記点灯回路５０は放電灯５１とそれに直列のバラスト用インダクタ５２を具備する。前記コンデンサ３０・３１・３２・点灯回路５０によって形成される固有振動周期が前記各スイッチング素子２１・２２の通電時に大きく前記フライホイールダイオード４１・４２の通電時に小さくする。【選択図】    図１
2004311368.tif 000002
【特許請求の範囲】
【請求項１】
交互にオンオフする順直列一対のスイッチング素子（２１・２２）を備え、前記各スイッチング素子（２１・２２）と逆並列に接続するフライホイールダイオード（４１：４２）を備え、以上の各素子とともにハーフブリッジ形のインバータ回路を構成する少なくとも２個のコンデンサ（３０・３１に３２）を備え、前記インバータ回路の高周波電圧を受ける点灯回路（５０）を備え、前記点灯回路（５０）は放電灯（５１）とそれに直列のバラスト用インダクタ（５２）を具備し、前記コンデンサ（３０・３１・３２）・点灯回路（５０）によって形成される固有振動周期が前記各スイッチング素子（２１・２２）の通電時に大きく前記フライホイールダイオード（４１・４２）の通電時に小さくすることを特徴とする放電灯点灯装置。
【発明の詳細な説明】
【０００１】
【発明の属する技術分野】
本発明は、放電灯の長寿命化を配慮したインバータ装置に関するものである。
【０００２】
【従来の技術】
放電灯（５０）の電流収束時の立下りが緩慢であると放電灯（５０）の電極から放出される電子が不活性状態に陥り再点弧時には電極に大きな損失が加わり、放電灯（５０）の短寿命を招くこととなる。放電灯（５０）の長寿命化には放電電流収束時立下りを急峻にすることが望ましい。
従来は図３に示す通り、放電灯（５１）とそれに直列のバラスト用インダクタ（５２）より構成される点灯回路（５０）に流れる電流は、回路の振動周期が固定であるため、スイッチング素子（２１）導通期間の電流（１３１）の立ち上がりとスイッチング素子（２１）の遮断時におけるフライホイールダイオード（４２）導通期間の電流（１４２）の立ち上がりは同一であった。すなわち、インバータ回路１周期の放電灯（５１）に流れる電流収束時の立下りと再点り瓜時の立ち上がりが同一であり、また、インバータの発振周期を変えることはインバータ出力が変化してしまうため、放電灯（５０）の電流の立下りのみを急峻にすることは不可能である。
【０００３】
【発明が解決しようとする課題】
インバータの発振周期を変えずに放電灯の放電電流の立下りを急峻、かつ立ち上がりを緩慢にし、電極から放出される電子ができるだけ不活性状態とならないように配慮するとともに、再点弧時の電極損失を軽減し、放電灯の長寿命化を図る。
【０００４】
【課題を解決するための手段】
ハーフブリッジ形のインバ・ータ回路を構成する少なくとも２個のコンデンサ（３０・３１．３２）を備え、放電灯（５１）と直列のバラスト用インダクタ（５２）より形成される点灯回路（５０）を備えた点灯装置において、前記コンデンサ（３０・３１・３２）・点灯回路（５０）によって形成される固有振動周期が前記各スイッチング素子（２１・２２）の通電時に大きく前記フライホイールダイオード（４１・４２）の通電時に小さくなるように回路構成する。
【０００５】
【発明の実施の形態】
図１を用いて本発明の実施形態について説明する。本回路はハーフブリッジ形のインバータ回路を構成するコンデンサ３０・３１・３２を備え、前記インバータ回路の高周波電圧を受ける点灯回路５０を備え、前記点灯回路５０は放電灯５１とＮ１，Ｎ２二つの巻線を備えたバラスト用インダクタ５２を具備し、前記バラスト用インダクタ５２のＮ１側に放電灯５１を接続し、交互にオンオフする順直列−一対のスイッチング素子２１・２２を備え、バラスト用インダクタ５２のＮ２巻線を介して前記各スイッチング素子２１・２２と逆並列に接続するフライホイールダイオード４１・４２を備えている。
スイッチング素子２１の導通時には放電灯５１に流れる電流は１３１に示す経路で流れる。この回路の固有振動周期はバラスト用インダクタ５２のＮ１、Ｎ２を含めたインダクタンスとコンデンサ３１の容量により決定される。さらに、スイッチング素子２１が遮断した直後はバラスト用インダクタ５２に流れる電流は放電灯５１、コンデンサ３２を介してフライホイールダイオード４２へと１４２に示す経路で流れる。
【０００６】
フライホイールダイオード４２はバラスト用インダクタンス、５２のＮ１とＮ２の中間に接続されているため、この時の回路の固有振動周期はバラスト用インダクタ５２のＮ１のインダクタンスとコンデンサ３１の容量により決定され、この振動周期は、スイッチング素子２１の導通時に放電灯５１に流れる際の回路の固有振動周期よりバラスト用インダクタ５２Ｎ２のインダクタンス分だけ小さくなっている。すなわち、放電灯５１の電流が極大となるまでは振動周期が長く、電流が極大となった後は振動周期が短くなっている。したがって、放電灯に供給する電流の立ち上がりは緩慢、かつ立下りは急峻となり、電極から放出される電子ができるだけ不活性状態とならないようできるため、再点り瓜時の電極損失を軽減することができる。
【０００７】
図２に他の実施例を示す。ハーフブリッジ形のインバータ回路を構成するコンデンサ３７・３８を備え、バラスト用インダクタ５２と放電灯５１からなる点灯回路５０を備え、交互にオンオフする順直列一対のスイッチング素子２１・２２を備え、前記各スイッチング素子２１・２２と逆並列に接続するフライホイールダイオード４１・４２を備えている。さらに、前記コンデンサ３７・３８にダイオード６１・６２を介して並列接続されるコンデンサ３５・３６を備えている。スイッチング素子２１の導適時には放電灯５１に流れる電流は１３１に示す経路で流れる。このきはスイッチング素子２１を介して点灯回路５０に印加される電流はコンデンサ３７およびコンデンサ３５より供給される。この固有振動周期はバラスト用インダクタ５２のインダクタンスおよびコンデンサ３５とコンデンサ３７の合計容量により決定される。さらに、スイッチング素子２１が遮断した直後はバラスト用インダクタ５２に流れる電流は放電灯５１、コンデンサ３８を介してフライホイールダイオード４２へと１４２に示す経路で流れる。この時の回路の固有振動周期はバラスト用インダクタ５２のインダクタンスとコンデンサ３８の容量により決定される。この振動周期は、スイッチング素子２１の導通時に放電灯５１に流れる際の振動周期よりダイオード６２によって逆阻止されるコンデンサ３６の容量分だけ小さくなっている。すなわち、放電灯５１の電流が極大となるまでは振動周期が長く、電流が極大となった後は振動周期が短くなる。
【０００７】
【発明の効果】
本発明によれば、放電灯の放電電流の立下りを急峻かつ立ち上がりを緩慢にし、電極から放出される電子ができるだけ不活性状態とならないようにできるので、再点狐時の電極損失を軽減し、放電灯を長寿命とすることができる。
【図面の簡単な説明】
【図１】本発明装置の回路図である。
【図２】本発明装置の別の回路図である。
【図３】従来例装置の回路図である。
【符号の説明】
２１・２２：スイッチング素子
４１・４２：フライホイールダイオード
３０・３１・３２：コンデンサ
５０：点灯回路
３５・３６・３７・３８：コンデンサ
６１・６２：ダイオード
【図１】
2004311368.tif 000003
【図２】
2004311368.tif 000004
【図３】
2004311368.tif 000005